(57)【特許請求の範囲】
【請求項１】
有価データが記憶されたカードから前記有価データを読取るカード読取装置を備え、前記カード読取装置によって読取られた前記カードの有価データを遊技権利に変換して遊技を行わせるカード式遊技機において、
前記カード読取装置に読取られた前記カードの有価データを前記遊技権利に変換操作可能な遊技権利変換指令操作手段と、
前記カードの有価データを前記遊技権利変換指令操作手段の操作によって前記遊技権利に変換する１回当りの変換量を設定操作可能な遊技権利貸出量設定操作手段と、
前記遊技権利貸出量設定操作手段の操作によって設定された、前記カードの有価データを前記遊技権利に変換する１回当りの変換量の設定値を、当該カードの排出後も一定時間保持する設定値保持タイマを備えた遊技権利貸出量設定制御手段と、を有し、
前記遊技権利貸出量設定制御手段は、前記カード読取装置にカードが挿入されていることを特定の設定条件として検出する設定条件検出手段を備え、該設定条件検出手段による特定の設定条件の検出に基づいて前記遊技権利貸出量設定操作手段による設定操作を可能とすることを特徴とするカード式遊技機。
【請求項２】
前記カードの有価データを前記遊技権利変換指令操作手段の操作によって前記遊技権利に変換する１回当りの変換量の設定値を表示する設定値報知手段を備え、
前記設定値報知手段は、前記設定値保持タイマが作動中であれば保持された設定値を表示することを特徴とする請求項１に記載のカード式遊技機。
【請求項３】
前記設定値報知手段は、前記カード読取装置へのカード挿入時に設定値保持タイマが作動中でなければ零でない初期値を表示することを特徴とする請求項２に記載のカード式遊技機。
【発明の詳細な説明】
【０００１】
【発明の属する技術分野】
本発明は、カード式遊技機の制御技術における遊技権利の設定方式に適用して有効な技術に関し、例えば、遊技者が任意の遊技権利への変換量の設定を行えるカード式遊技機に関する。
【０００２】
【従来の技術】
従来、カード式遊技機の制御技術における遊技権利の設定は、例えば、▲１▼特開昭６３−２９２９８６号、▲２▼特開平４−３２７８７３号の公報などに示されている。
即ち、特開昭６３−２９２９８６号の公報には、第１の有価データ（金額データ）から第２の有価データ（遊技球数データ）への変換スイッチ（遊技権利変換指令操作手段）を操作することに基づいて、第２の有価データが予め設定された変換量のみ変換されることとなる。
特開平４−３２７８７３号の公報には、遊技機間にカード読取装置を有する玉貸機を配設し、遊技機の操作パネル上に設けられた玉貸スイッチからの指令によりカード残金の一部を貸玉に変換して、遊技機に設けられた球排出装置を使用して貸玉を遊技機に供給するようにした玉貸方式が提案されている。
【０００３】
【発明が解決しようとする課題】
しかし、上記特開昭６３−２９２９８６号および特開平４−３２７８７３号公報に示される技術にあっては、遊技権利への変換量を遊技店側で設定する方式を採用しているため、遊技者の意向は受け入れられないという問題点があった。
この発明は、上記問題点を解決するためになされたもので、遊技権利変換指令操作手段の操作により、１回当りの遊技権利への変換量を遊技者の意思のもとで自由に設定できるカード式遊技機を提供することを目的とする。
【０００４】
【課題を解決するための手段】
上記課題を解決するため、
請求項１記載の発明は、有価データが記憶されたカードから前記有価データを読取るカード読取装置を備え、前記カード読取装置によって読取られた前記カードの有価データを遊技権利に変換して遊技を行わせるカード式遊技機において、前記カード読取装置に読取られた前記カードの有価データを前記遊技権利に変換操作可能な遊技権利変換指令操作手段と、
前記カードの有価データを前記遊技権利変換指令操作手段の操作によって前記遊技権利に変換する１回当りの変換量を設定操作可能な遊技権利貸出量設定操作手段と、
前記遊技権利貸出量設定操作手段の操作によって設定された、前記カードの有価データを前記遊技権利に変換する１回当りの変換量の設定値を、当該カードの排出後も一定時間保持する設定値保持タイマを備えた遊技権利貸出量設定制御手段と、を有し、
前記遊技権利貸出量設定制御手段は、前記カード読取装置にカードが挿入されていることを特定の設定条件として検出する設定条件検出手段を備え、該設定条件検出手段による特定の設定条件の検出に基づいて前記遊技権利貸出量設定操作手段による設定操作を可能とする構成とした。
【０００５】
請求項２記載の発明は、請求項１に記載のカード式遊技機において、前記カードの有価データを前記遊技権利変換指令操作手段の操作によって前記遊技権利に変換する１回当りの変換量の設定値を表示する設定値報知手段を備え、
前記設定値報知手段は、前記設定値保持タイマが作動中であれば保持された設定値を表示する構成とした。
【０００６】
請求項３記載の発明は、請求項２に記載のカード式遊技機において、前記設定値報知手段は、前記カード読取装置へのカード挿入時に設定値保持タイマが作動中でなければ零でない初期値を表示する構成とした。
【０００７】
請求項１に記載の発明によれば、遊技者の操作によってカードの有価データを遊技権利に変換する１回当りの変換量を設定できるので、カードの有価データから遊技権利への１回当りの変換量を遊技者の意思のもとで自由に設定できることとなる。
【０００８】
これにより、遊技権利貸出量設定操作手段を１回操作しておけば、その後、何回遊技権利変換指令操作手段を操作しても遊技権利への変換量が自動的に固定されるため、遊技者の意思の下で任意の変換量を間違いなく、確実に変換することが可能となる。
【０００９】
また、遊技権利貸出量設定操作手段と遊技権利変換指令操作手段とを遊技者が操作可能に夫々別設して設けたことにより、操作性も向上して操作ミス等も起こさず、スムーズな遊技進行を実行することができる。
【００１０】
また、カードが排出された後も設定値保持タイマがタイムアップするまでに新たにカードがカード読取装置に挿入されれば、遊技権利貸出量設定操作手段の操作によって設定された１回当りの変換量の設定値が保持される。
また、カードの有価データを遊技権利に変換する１回当りの変換量の設定は、カード読取装置にカードが挿入されていることに基づいて可能となる一方、カード読取装置にカードが挿入されていないときには、その変換量の設定はできない。
【００１１】
請求項２に記載の発明によれば、設定値保持タイマが作動中であれば、保持された設定値を表示する。
【００１２】
請求項３に記載の発明によれば、設定値報知手段は、カード読取装置へのカード挿入時に設定値保持タイマが作動中でなければ、零でない初期値を表示する。
【００１３】
【発明の実施の形態】
（第１実施の形態）
以下、図１〜図４に基づいて、この発明に係るカード式遊技機の第１実施の形態を説明する。
図１にはカード式遊技機の正面図を示す。
このカード式遊技機１は１実施の形態としての遊技機として例示するパチンコ遊技機１００と、このパチンコ遊技機１００の隣に取り付けられた玉貸機（台間玉貸機ともいう）２００とから構成されている。
玉貸機２００にはカード読取装置２１０が内蔵され、そのカード読取装置２１０と対応する玉貸機２００の前面部にカード挿排口２１１が設けられている。
また、この玉貸機２００の前面上部には、遊技権利貸出量設定操作手段としての第１〜第３の設定表示器２１１ａ，２２２ａ，２２３ａが内蔵された第１〜第３の設定スイッチ２２１，２２２，２２３が外部から押圧操作自在に取り付けられている。
【００１４】
そして、その第１の設定表示器２２１ａには“３００円”に対応する有価データを表す「３０」の数字が、第２の設定表示器２２２ａには“５００円”に対応する有価データを表す「５０」の数字が、第３の設定表示器２２３ａには“１０００円”に対応する有価データを表す「１００」の数字が、夫々表示されている。
一方、パチンコ遊技機１００の前面パネル１１０に設けられた供給皿１２０の右側上部には、操作部１３０が設けられている。この操作部１３０には、上記玉貸機２００の挿排口２１１に有価データ（例えば、金額）の記録されたカードが挿入されて遊技権利への変換が可能であることを示す有効表示器１３１と、その挿入されたカードの残高（有価データ）を表示する金額表示器１３２が設けられている。
【００１５】
また、この操作部１３０には、上記玉貸機２００に対し、遊技権利としての貸玉に変換する指令を与える遊技権利変換指令操作手段としての玉貸スイッチ１３３と、カード挿排口２１１からカードを排出させて精算させる精算スイッチ（返却スイッチともいう。）１３４が夫々押圧操作自在に設けられている。
その他、このパチンコ遊技機１００の前面側には、受皿１４１、玉の排出口１４２，１４３、発射用ハンドル１４４、遊技盤を覆う前面ガラス１４５、大当りや打止め状態などを示す情報表示ランプ１４６などが設けられている。
図２には、このカード式パチンコ遊技機１の玉貸系統の制御ブロック図を示す。
このカード式パチンコ遊技機１の玉貸系統の制御は遊技権利変換制御手段３００によって行われる。
【００１６】
遊技権利変換制御手段３００は、カード２１５の有価データ（金額など）を遊技権利（遊技媒体、遊技データなど）に変換する１回当りの変換量などを設定する遊技権利貸出量設定制御手段３１０と、カード読取装置２１０に読取られたカードの有価データを遊技権利に変換する遊技権利変換制御手段３２０とを備えている。
遊技権利貸出量設定制御手段３１０は、例えばカード２１５がカード読取装置２１０に挿入されている状態などの特定の設定条件を検出しその検出に基づいて遊技権利貸出量設定操作手段（設定スイッチ２２１，２２２，２２３）による、カード２１５の有価データを遊技権利に変換する１回当りの変換量を設定可能とさせる設定条件検出手段３１１、および遊技権利貸出量設定操作手段の操作によって設定された、カード２１５の有価データを遊技権利に変換する１回当りの変換量の設定値をカード２１５の返却後も一定時間保持する設定値保持タイマ３１２などを備えている。その設定値保持タイマの保持時間は任意に設定できる。
【００１７】
そして、カード２１５がカード読取装置２１０に挿入されていたり、その設定値保持タイマ３１２によって保持される間、遊技権利貸出量設定制御手段３１０により、１回設定した設定値が保持されていることが設定値報知手段としての設定表示器２２１ａ，２２２ａ，２２３ａに表示されるようになっている。
遊技権利変換制御手段３２０は、遊技権利貸出量設定制御手段３１０から前記特定の設定条件が成立しているという信号を受けて有効表示器１３１を点灯させたり、カード読取装置２１０からの有価データ（例えば、金額データ）を受けて金額表示器１３２に金額を表示したりする制御を行う。
【００１８】
また、この遊技権利変換制御手段３２０は、遊技権利貸出量設定制御手段３１０から１回当りの変換量の設定信号と前記特定の設定条件の成立信号を受けるとともに、カード読取装置２１０からカード２１５の有価データ（例えば、金額データ）信号を受け、玉貸スイッチ１３３が押圧操作されるごとに、その有価データの範囲内で、その設定された１回の変換量分だけ、パチンコ遊技機１００の玉排出装置（図示省略）により排出口１４２を介して供給皿１２０に玉を排出させる。
【００１９】
次に、上記遊技権利変換制御手段３００によって行われる玉貸系統の制御処理を図３〜図４のフローチャートに基づいて説明する。
先ず、図３において、遊技権利変換処理が開始されると、カード読取装置２１０へのカード２１５の挿入時であるか否かを判定する（ステップＳ１）。
【００２０】
カード２１５の挿入時であれば、次のステップＳ２でカード残高が“０”であるか否かを判定し、“０”であれば図４のステップＳ２４に移行してカード２１５の排出をしてステップＳ１に戻るが、“０”でなければさらに次のステップＳ３で設定値保持タイマ３１２が作動中であるか否かを判定する。そして、設定値保持タイマ３１２が作動中でなければ、ステップＳ４でカード２１５の有価データを遊技権利に変換する１回当りの変換量を初期値（この初期値は任意に設定できる。）、例えば、“３００円”に対応する「３０」の設定表示器２２１ａを点灯させてステップＳ７に移行するが、設定値保持タイマ３１２が作動中であればステップＳ５で点滅している設定表示器（２２１ａ，２２２ａ，２２３ａのいずれか１つ）を点灯させてステップＳ７に移行する。
【００２１】
ステップＳ４で初期値を「０」とすることも可能であるが、「０」としないで“３００円”としたのはカード２１５を挿排口２１１中に挿入して遊技者が遊技権利貸出量設定操作手段の操作を行わないで、いきなり遊技権利変換指令操作手段を操作する場合に対応させるためである。
一方、ステップＳ１でカード２１５の挿入時でないと判定したときには、ステップＳ６でカード２１５が挿入された状態となっているか否かを判定する。その結果、カード２１５が挿入された状態となっていればステップＳ７に移行するが、カード２１５が挿入された状態となっていなければステップＳ１３に移行する。
【００２２】
ステップＳ７に移行したときには、１回当りの変換量の設定処理として、ステップＳ７，Ｓ８，Ｓ９で“３００円”，“５００円”，“１０００円”のいずれに対応する設定スイッチ２２１，２２２，２２３が押圧設定操作（オン操作）されたかを判定する。
その判定の結果、“３００円”に対応する設定スイッチ２２１が押圧設定操作されたときにはステップＳ１０で“３００円”に対応する「３０」の設定表示器２２１ａを、“５００円”に対応する設定スイッチ２２２が押圧設定操作されたときにはステップＳ１１で“５００円”に対応する「５０」の設定表示器２２２ａを、“１０００円”に対応する設定スイッチ２２３が押圧設定操作されたときにはステップＳ１２で“１０００円”に対応する「１００」の設定表示器２２３ａを、夫々点灯してステップＳ１５に移行する。
【００２３】
この遊技権利貸出量設定操作手段はカード挿排口２１１にカード２１５が挿入されている限り、何時でも有効で、変更も可能である。
一方、ステップＳ６でカード２１５が挿入された状態となっていないと判定されてステップＳ１３に移行したときには、設定値保持タイマ３１２がタイムアップしたか否かを判定し、タイムアップしていなければそのままステップＳ１に戻るが、タイムアップしていれば、ステップＳ１４で該当する設定表示器２２１ａ，２２２ａ，２２３ａを消灯させてからステップＳ１に戻る。
【００２４】
１回当りの変換量の設定処理がなされて図４のステップＳ１５に移行したときには、該ステップＳ１５において、玉貸スイッチ１３３が押圧操作されて遊技権利の変換操作がなされたか否かを判定し、なされなかったときにはステップＳ１６に移行し、なされたときにはステップＳ１７に移行する。
ステップＳ１７では、カード２１５の残高が１回当りの変換量の設定値以上になっているか否かを判定し、設定値以上になっているときにはその設定量を遊技権利へ変換する処理（ステップＳ１９）とその変換した有価データを減算する処理（ステップＳ２０）をしてからステップＳ２１に移行するが、設定値以上になっていないときには残高を全て遊技権利に変換する処理（ステップＳ１８）と変換した有価データを減算する処理（ステップＳ２０）を行ってからステップＳ２１に移行する。
【００２５】
ステップＳ２１では、カード２１５の残高が“０”であるか否かを判定し、“０”でないときには図３のステップＳ１に戻り、“０”であるときにはステップＳ２２，Ｓ２３，Ｓ２４で点灯している設定表示器（２２１ａ，２２２ａ，２２３ａ）のいずれかを点滅させる処理、設定値保持タイマ３１２のスタート処理、カード２１５の排出処理を行ってから図３のステップＳ１に戻る。
一方、ステップＳ１５で遊技権利の変換操作がなされなかったと判定してステップＳ１６に移行したときには、ステップＳ１６で精算スイッチ１３４が押圧操作されることによってカード２１５の返却操作がなされたか否かを判定する。その返却操作がなされなかったときにはそのまま図３のステップＳ１に戻るが、その返却操作がなされたときにはステップＳ２２，Ｓ２３，Ｓ２４で点灯している設定表示器（２２１ａ，２２２ａ，２２３ａのいずれか）を点滅させる処理、設定値保持タイマ３１２のスタート処理、カード２１５の排出処理を行ってから図３のステップＳ１に戻る。
【００２６】
この実施の形態のカード式パチンコ遊技機１によれば、（１）遊技者が遊技権利貸出量設定操作手段としての設定スイッチ２２１，２２２，２２３のうち所望のものを押圧操作（オン操作）することによって、カード２１５の有価データ（例えば、金額データ）を遊技権利（例えば、遊技媒体としての遊技玉）に変換する１回当りの変換量を設定できるので、カード２１５の有価データから遊技権利への１回当りの変換量を遊技者の意思の下で自由に設定できることとなる。
【００２７】
また、（２）遊技権貸出量設定操作手段を１回操作しておけば、カード２１５が挿入されている限り、何回遊技権利変換指令操作手段を操作しても遊技権利への変換量が自動的に固定されるため、遊技者の意思の下で任意の変換量を間違いなく、確実に変換できることとなる。
また、（３）遊技権利貸出量設定操作手段としての設定スイッチ２２１，２２２，２２３と遊技権利変換指令操作手段としての玉貸スイッチ１３３とを遊技者が操作可能に夫々別設して設けたことにより、操作性も向上して操作ミス等も起こさず、スムーズな遊技進行を実行することができる。
【００２８】
また、（４）遊技権利変換指令操作手段としての玉貸スイッチ１３３の押圧操作（オン操作）によって、カード２１５の有価データ（例えば、金額）を遊技権利（例えば、遊技媒体としての遊技玉）と実質的に等価な遊技データに変換させることができる。
また、（５）カード２１５の有価データを遊技権利に変換する１回当りの変換量の設定は設定条件検出手段３１１による特定の設定条件（例えば、カード読取装置２１０にカード２１５が挿入されていることが検出されることを条件とする。）の下に、カード２１５の有価データを遊技権利に変換する１回当りの変換量の設定が可能となるので、その設定条件が満足していない限りその１回当りの変換量の設定をするいたずらができなくなる。
【００２９】
また、（６）その特定の条件はカード２１５が排出された後も設定値保持タイマ３１２がタイムアップするまでに新たにカード２１５が挿入されればその１回当りの変換量の設定が保持されるので、カード２１５の残高が無くなってそのカード２１５が排出された後でも、そのタイムアップされる時間内に新しいカード２１５を挿入すれば、その１回当りの変換量の設定をしなおさなくて済む。
また、（７）遊技権利変換指令操作手段としての玉貸スイッチ１３３が遊技機１００に設けられているので、遊技権利変換指令操作手段の操作がし易くなる。なお、上記遊技権利貸出量設定操作手段としての設定スイッチ２２１，２２２，２２３の種類は“３００円”，“５００円”，“１０００円”に限定せず、“１００円”，“２００円”，“４００円”など、どのような種類にしてもよいし、３種類にせず２種類にしたり、４種類以上にしてもよい。
【００３０】
また、この実施の形態では遊技権利貸出量設定操作手段はカード挿排口２１１にカード２１５が挿入されている限り、何時でも有効としたが、カード挿排口２１１にカード２１５を挿入したときにのみ遊技権利貸出量設定操作手段が有効とし、カード２１５を排出させてもう一度挿入し直さない限り、その設定値の変更ができないようにしてもよい。そうすれば、遊技中の誤操作を防止できる。
また、遊技権利貸出量設定制御手段３１０の設定値保持タイマ３１２の保持時間は任意に設定してよいし、無くてもよい。
また、カード２１５をカード挿排口２１１中に挿入してから、所定時間の間、遊技権利貸出量設定操作手段が操作されない場合にカード読取装置２１０により強制的に排出するようにしてもよい。
【００３１】
また、遊技権利貸出量設定操作手段を操作して下さいという報知手段を設けてもよい。
例えば、（イ）設定完了表示器を設けておいて点滅或いは消灯させる。（ロ）遊技権利貸出量設定操作手段に設けた設定値表示器２２１ａ，２２２ａ，２２３ａを点滅又は消灯させる。（ハ）有効表示器１３１を点滅させる。（ニ）「設定表示して下さい」なる表示手段を別設してこの表示手段を点灯する。（ホ）カード挿入された時点で、音声合声等によりスピーカより設定の催促を行う。（ヘ）遊技機の前面ガラスの内側に設けられた遊技領域内の可変表示器等を利用して設定催促の表示を行う。
などである。
【００３２】
（第２実施の形態）
次に、図５〜図９に基づいて、この発明に係るカード式遊技機の第２実施の形態を説明する。
この実施の形態のカード式パチンコ遊技機２は、第１実施の形態のものと比べて玉貸機の遊技権利貸出量設定制御手段と遊技権利変換制御手段とが異なるだけで他の構成は同じなので、構成の同じ部分については第１実施の形態と同じ符号を付して重複説明は避け、異なる部分について説明する。
【００３３】
この実施の形態の玉貸機４００の前面上部には、カードの有価データを遊技権利に変換する１回当りの変換量の設定値を表示する設定値表示器４１０、その変換量を押圧操作によって選択設定できる遊技権利貸出量設定操作手段としての設定スイッチ４２０、押圧操作によってその設定値を確定させる設定値確定手段としての確定スイッチ４３０、その確定を知らせる設定値確定表示器４４０が取り付けられている。
図６には、このカード式パチンコ遊技機２の玉貸系統の制御ブロック図を示す。
このカード式パチンコ遊技機２の玉貸系統の制御は遊技権利変換制御手段５００によって行われる。
【００３４】
遊技権利変換制御手段５００は、カードの有価データ（金額など）を遊技権利（遊技媒体、遊技データなど）に変換する１回当りの変換量などを設定する遊技権利貸出量設定制御手段５１０と、カード読取装置２１０に読取られたカード２１５の有価データを遊技権利に変換する遊技権利変換制御手段５２０とを備えている。
遊技権利貸出量設定制御手段５１０は、例えばカード２１５がカード読取装置２１０に挿入されている状態などの特定の設定条件を検出しその検出に基づいて遊技権利貸出量設定操作手段（設定スイッチ４２０）による、カード２１５の有価データを遊技権利に変換する１回当りの変換量を設定可能とさせる設定条件検出手段５１１、および遊技権利貸出量設定操作手段の操作によって設定された、カード２１５の有価データを遊技権利に変換する１回当りの変換量の設定値をカード２１５の返却後一定時間保持する設定値保持タイマ５１２などを備えている。
【００３５】
この遊技権利貸出量設定制御手段５１０は設定スイッチ４２０の操作ごとに信号を受けて設定値表示器４１０に１回当りの変換量を表示させたり、設定値確定操作手段４３０の操作に基づいてその変換量に確定したことを設定値確定表示器４４０に表示させたりする制御を行う。そして、カード２１５がカード読取装置２１０に挿入されていたり、設定値保持タイマ５１２によって保持される間、遊技権利貸出量設定制御手段５１０により、１回設定した設定値が保持されていることが設定値報知手段としての設定値表示器４１０に表示されるようになっている。
【００３６】
遊技権利変換制御手段５２０は、遊技権利貸出量設定制御手段５１０から特定の設定条件が成立しているという信号を受けて有効表示器１３１を点灯させたり、カード読取装置２１０からの有価データ（例えば、金額データ）を受けて金額表示器１３２に金額を表示したりする制御を行う。
また、この遊技権利変換制御手段５２０は、遊技権利貸出量設定制御手段５１０から１回当りの変換量の設定信号と前記特定の設定条件の成立信号を受けるとともに、カード読取装置２１０からカード２１５の有価データ（例えば、金額データ）信号を受け、玉貸スイッチ１３３が押圧操作されるごとに、その有価データの範囲内で、その設定された１回の変換量分だけ、パチンコ遊技機６００の玉排出装置（図示省略）により排出口１４２を介して供給皿１２０に玉を排出させる。
【００３７】
次に、上記遊技権利変換制御手段５００によって行われる玉貸系統の制御処理を、図７〜図９のフローチャートに基づいて説明する。
先ず、図７において、遊技権利変換処理が開始されると、カード読取装置２１０へのカード２１５の挿入時であるか否かを判定する。（ステップＳ３１）。
【００３８】
カード２１５の挿入時であれば、次のステップＳ３２でカード残高が“０”であるか否かを判定し、“０”であれば図９のステップＳ５８に移行してカード２１５の排出をしてステップＳ３１に戻るが、“０”でなければさらに次のステップＳ３３で設定値保持タイマ５１２が作動中であるか否かを判定する。そして、設定値保持タイマ５１２が作動中であれば図８のステップＳ４５に移行して設定値表示器４１０の設定値表示を点灯させ、次のステップＳ４６で設定値確定表示器４４０を点灯させて図９のステップＳ４７に移行するが、設定値保持タイマ５１２が作動中でなければ、カード２１５の有価データを遊技権利に変換する１回当りの変換量を初期値、例えば、“５００円”に設定し（ステップＳ３４）、次のステップＳ３５で１回当りの変換量設定指示、例えば設定表示器４１０に「５０」の表示をさせるなどの設定指示をしてから図８のステップＳ４０に移行する。
【００３９】
一方、ステップＳ３１でカード２１５の挿入時でないと判定したときには、ステップＳ３６でカード２１５が挿入された状態となっているか否かを判定する。その結果、カード２１５が挿入された状態となっていれば、図９のステップＳ４７に移行するが、カード２１５が挿入された状態となっていなければ、ステップＳ３７で設定値保持タイマ５１２がタイムアップしているか否かを判定する。タイムアップしているときには、点灯中の設定値表示器４１０の設定値表示を消灯させ（ステップＳ３８）、次のステップＳ３９で設定値確定表示器４４０の設定値確定表示を消灯させてから、ステップＳ３１に戻る。が、タイムアップしていないときには、そのままステップＳ３１に戻る。
【００４０】
ステップＳ３２において、カード残高が“０”であると判定されたときには、図９のステップＳ５８に移行してカード２１５を排出させてステップＳ３１に戻る。
また、ステップＳ３３において、設定値保持タイマ５１２が作動中であると判定したときには、図８のステップＳ４５，Ｓ４６で設定値表示器４１０の設定値表示の点灯と設定値確定表示器４４０の点灯処理を行ってから図９のステップＳ４７に移行する。
【００４１】
ステップＳ４０（図８）では玉貸スイッチ１３３が押圧操作されてオンされることにより遊技権利の変換操作がなされたか否かを判定する。遊技権利の変換操作がなされたときにはステップＳ４５，Ｓ４６で設定表示器４１０の設定値表示の点灯と設定値確定表示器４４０の点灯をさせてから図９のステップＳ４７に移行するが、遊技権利の変換操作がなされていないときにはステップＳ４１に移行する。
ステップＳ４１では、設定スイッチ４２０が押圧操作されて１回当りの変換量の設定操作がなされたか否かを判定する。その設定操作がなされたときには、１回当りの変換量の設定値の変更（ステップＳ４２）と設定値表示器４１０の設定値の点滅表示（ステップＳ４３）をさせてからステップＳ４４に移行し、その設定操作がなされなかったときには、設定値表示器４１０の設定値の点滅表示（ステップＳ４３）をさせてステップＳ４４に移行する。
【００４２】
次に、ステップＳ４４で１回当りの変換量の設定値の確定操作がなされたか否かを判定し、なされていないときにはステップＳ４０に戻り、なされたときにはステップＳ４５，Ｓ４６で設定値表示器４１０の設定値表示の点灯と設定値確定表示器４４０の点灯処理を行ってから図９のステップＳ４７に移行する。
ステップＳ４７では、１回当りの変換量の設定値の確定状態において設定値を変更するために再度確定スイッチ４３０の押圧操作がなされたか否かを判定し、なされたときには設定値確定表示器４４０を消灯させて図８のステップＳ４０に戻り、なされなかったときにはステップＳ４９に移行する。
【００４３】
ステップＳ４９では、玉貸スイッチ１３３が押圧操作されて遊技権利の変換操作がなされたか否かを判定し、なされなかったときにはステップＳ５９に移行し、なされたときにはステップＳ５０に移行する。
ステップＳ５０では、カード２１５の残高が１回当りの変換量の設定値以上になっているか否かを判定し、設定値以上になっているときにはその設定量を遊技権利へ変換する処理（ステップＳ５１）とその変換した有価データを減算する処理（ステップＳ５３）をしてからステップＳ５４に移行し、設定値以上になっていないときには残高を全て遊技権利に変換する処理（ステップＳ５２）と変換した有価データを減算する処理（ステップＳ５３）を行ってからステップＳ５４に移行する。
【００４４】
ステップＳ５４では、カード２１５の残高が“０”であるか否かを判定し、“０”でないときには図７のステップＳ３１に戻り、“０”であるときにはステップＳ５５，Ｓ５６，Ｓ５７，Ｓ５８で設定値表示器４１０の設定値表示の点滅処理、設定値確定表示器４４０の点滅処理、設定値保持タイマ５１２のスタート処理、カード２１５の排出処理を行ってから図７のステップＳ３１に戻る。
【００４５】
一方、ステップＳ４９で遊技権利の変換操作がなされなかったと判定してステップＳ５９に移行したときには、ステップＳ５９で精算スイッチ１３４が押圧操作されることによってカード２１５の返却操作がなされたか否かを判定する。その返却操作がなされなかったときにはそのまま図７のステップＳ３１に戻り、その返却操作がなされたときには設定値表示器４１０の設定値表示の点滅処理（ステップＳ５５）、設定値確定表示器４４０の点滅処理（ステップＳ５６）、設定値保持タイマ５１２のスタート処理、カード２１５の排出処理（ステップＳ５８）を行ってから図７のステップＳ３１に戻る。
【００４６】
この実施の形態のカード式パチンコ遊技機２によれば、第１実施の形態と同様、（ａ）カードの有価データ（例えば、金額）から遊技権利（例えば、遊技媒体、遊技データ、パチンコ玉など）への１回当りの変換量を遊技者の意思の下で自由に設定できる。
また、（ｂ）遊技権利貸出量設定操作手段としての設定スイッチ４２０を操作してから確定スイッチ４３０を押圧操作しておけば、その後、何回遊技権利変換指令操作手段としての玉貸スイッチ１３３を操作しても遊技権利への変換量が自動的に固定されるため、遊技者の意思の下で任意の変換量を間違いなく、確実に変換することが可能である。
【００４７】
また、（ｃ）遊技権利貸出量設定操作手段と遊技権利変換指令操作手段とを遊技者が操作可能に夫々別設して設けたことにより、操作性も向上して操作ミス等も起こさず、スムーズな遊技進行を起こすことができる。
また、（ｄ）設定スイッチ４２０を操作するごとに設定表示器４１０の１回当りの変換量が変化されるので、第１実施の形態におけるように設定値表示器を複数設けなくて済む。
その他、第１実施の形態における（４）〜（６）の効果が得られる。
【００４８】
なお、設定スイッチ４２０の操作によって１回当りの変換量を設定した後に確定スイッチ４３０の操作によってその設定値を確定するようにしたが、確定スイッチ４３０を必ずしも設ける必要はなく、設定スイッチ４２０の操作で設定値を設定した時点或いはその設定時点から一定時間経過した時点で自動的に確定するようにしてもよい。
【００４９】
（第３実施の形態）
次に、図１０に基づいて、この発明に係るカード式パチンコ遊技機の第３実施の形態を示す。図１０はカード式パチンコ遊技機３の正面図である。
この実施の形態のカード式パチンコ遊技機３は、第１実施の形態のカード式パチンコ遊技機１のように、パチンコ遊技機１００と別個に玉貸機２００を設けず、パチンコ遊技機７００自体にカード読取装置２１０、カード挿排口２１１、遊技権利貸出量設定操作手段としての第１〜第３の設定スイッチ２２１，２２２，２２３、第１〜第３の設定表示器２２１ａ，２２２ａ，２２３ａを設けている。
【００５０】
その他の機械的構成および玉貸制御系統は全て第１実施の形態におけるパチンコ遊技機１００と同じなので、異なる構成についてのみ説明し、第１実施の形態におけるパチンコ遊技機１００と同じ構成部分については同じ符号を付して重複説明は避ける。
このカード式パチンコ遊技機３では、パチンコ遊技機７００の受皿１４１の一端側にカード読取装置２１０が内蔵され、そのカード読取装置２１０と対応する受皿１４１の一端側前面部にカード挿排口２１１が設けられている。
【００５１】
また、このパチンコ遊技機７００の下側前面パネル１２０の前面側で受皿１４１の上方に、遊技権利貸出量設定操作手段としての第１〜第３の設定表示器２２１ａ，２２２ａ，２２３ａが内蔵された第１〜第３の設定スイッチ２２１，２２２，２２３が外部から押圧操作自在に取り付けられている。
そして、その第１の設定表示器２２１ａには“３００円”に対応する有価データを表す「３０」の数字が、第２の設定表示器２２２ａには“５００円”に対応する有価データを表す「５０」の数字が、第３の設定表示器２２３ａには“１０００円”に対応する有価データを表す「１００」の数字が、夫々表示されている。
【００５２】
この実施の形態によれば、第１実施の形態における（１）〜（７）の効果が得られる他、パチンコ遊技機７００自体にカード読取装置２１０、カード挿排口２１１、遊技権利貸出量設定操作手段としての第１〜第３の設定スイッチ２２１，２２２，２２３、第１〜第３の設定表示器２２１ａ，２２２ａ，２２３ａが設けられているので、パチンコ遊技機７００と別個の玉貸機を設けた場合に比べ、玉貸機を別個に設ける必要がないだけでなく、カード挿排口２１１や遊技権利貸出量設定操作手段が遊技者に近づき、その分、カードの有価データを遊技権利に変換する操作がし易くなる。
【００５３】
（第４実施の形態）
次に、図１１に基づいて、この発明に係るパチンコ遊技機の第４実施の形態を示す。図１１はカード式パチンコ遊技機の正面図である。
この実施の形態のパチンコ遊技機４は、第２実施の形態のカード式パチンコ遊技機２のようにパチンコ遊技機６００と別個に玉貸機を設けず、パチンコ遊技機８００自体に、カード読取装置２１０、カード挿排口２１１、カードの有価データを遊技権利に変換する１回当りの変換量の設定値を表示する設定値表示器４１０、その変換量を押圧操作によって選択設定できる遊技権利貸出量設定操作手段としての設定スイッチ４２０、押圧操作によってその設定値を確定させる設定値確定手段としての確定スイッチ４３０、その確定を知らせる設定値確定表示器４４０を設けている。
【００５４】
その他の機械的構成および玉貸制御系統は全て第２実施の形態におけると同じなので、異なる構成についてのみ説明し、第２実施の形態におけると同じ構成部分については同じ符号を付して重複説明は避ける。
このカード式パチンコ遊技機４では、パチンコ遊技機８００の受皿１４１の一端側にカード読取装置２１０が内蔵され、そのカード読取装置２１０と対応する受皿１４１の一端側前面部にカード挿排口２１１が設けられている。
また、このパチンコ遊技機８００の下側前面パネル１２０の前面側で受皿１４１の上方に、設定値表示器４１０、設定スイッチ４２０、確定スイッチ４３０、設定値確定表示器４４０が設けられている。
【００５５】
この実施の形態によれば、第２実施の形態における効果が得られる他、パチンコ遊技機８００自体にカード読取装置２１０、カード挿排口２１１、設定値表示器４１０、設定スイッチ４２０、確定スイッチ４３０、設定値確定表示器４４０などが設けられているので、パチンコ遊技機６００と別個の玉貸機に設けた場合に比べ、玉貸機を別個に設ける必要がないだけでなく、カード挿排口２１１や設定スイッチ４２０、確定スイッチ４３０などが遊技者に近づき、その分、カードの有価データを遊技権利に変換する操作がし易くなる。
【００５６】
（第５実施の形態）
次に、図１２に基づいて、この発明に係るパチンコ遊技機の第５実施の形態を示す。図１２はカード式パチンコ遊技機の正面図である。
この実施の形態のカード式パチンコ遊技機５は、第１〜第４実施の形態のカード式パチンコ遊技機のように出玉形式のものでなく、完全封入玉形式のもので、カードに金額の残高などの有価データや持玉などの遊技権利に関する遊技権利データなどが全てカードに記録される完全カード形式のものである。
【００５７】
このカード式パチンコ遊技機５は、パチンコ遊技機９００自体にカード読取装置２１０、カード挿排口２１１、遊技権利貸出量設定操作手段としての第１〜第３の設定表示器２２１ａ，２２２ａ，２２３ａ、第１〜第３の設定スイッチ２２１，２２２，２２３を設けている他、金額などの有価データ表示器９１０、持玉数表示器９２０、遊技を中断させるための中断スイッチ９３０などが設けられている。
【００５８】
この実施の形態では出玉はないので供給皿や受皿などはないが、他の構成部分で第１実施の形態におけると同じ構成部分については同一符号を付して重複説明は避け、異なる構成部分についてのみ説明する。
このカード式パチンコ遊技機５では前面パネル１１０の左側にカード読取装置２１０が内蔵され、そのカード読取装置２１０の前面部にカード挿排口２１１が設けられている。
また、その前面パネル１１０の左側でカード読取装置２１０の上方に、遊技権利貸出量設定操作手段としての第１〜第３の設定表示器２２１ａ，２２２ａ，２２３ａが内蔵された第１〜第３の設定スイッチ２２１，２２２，２２３が外部から押圧操作自在に取り付けられている。
【００５９】
そして、その第１の設定値表示器２２１ａには“３００円”に対応する有価データを表す「３０」の数字が、第２の設定表示器２２２ａには“５００円”に対応する有価データを表す「５０」の数字が、第３の設定表示器２２３ａには“１０００円”に対応する有価データを表す「１００」の数字が、夫々表示されている。
また、前面パネル１１０の中央部には有価データ表示器９１０および持玉数表示器９２０が設けられ、右側には玉貸スイッチ１３３、精算スイッチ１３４、有効表示器１３１の他、中断スイッチ９３０が設けられている。
【００６０】
この実施の形態に係る完全カード式パチンコ遊技機５においても、パチンコ遊技機９００自体にカード読取装置２１０、カード挿排口２１１、遊技権利貸出量設定操作手段としての第１〜第３の設定スイッチ２２１，２２２，２２３、第１〜第３の設定表示器２２１ａ，２２２ａ，２２３ａが設けられているので、カード挿排口２１１や遊技権利貸出量設定操作手段が遊技者に近いところでしかも操作ハンドル１４４と逆側にあるので、カードの挿入や、カードの有価データを遊技権利に変換する操作がし易くなる。
【００６１】
なお、カード読取装置２１０、カード挿排口２１１、遊技権利貸出量設定操作手段としての第１〜第３の設定スイッチ２２１，２２２，２２３、第１〜第３の設定表示器２２１ａ，２２２ａ，２２３ａ、有価データ表示器９１０、持玉数表示器９２０、玉貸スイッチ１３３、精算スイッチ１３４、有効表示器１３１、中断スイッチ９３０などはパチンコ遊技機５の前面側であればどこに設けてもよい。
本実施の形態は、パチンコ遊技機について説明したが特許請求の範囲から明らかなように遊技権利変換指令操作手段と遊技権利貸出量設定操作手段とを有するカード式遊技機であれば、例えば、スロット式遊技機やアレンジボール式遊技機等どの様な遊技機にも幅広く適用することができる。
【００６２】
また、カード式遊技機とは、本実施の形態における第１〜第５実施の形態に示したように遊技の実行に関連してカードを使用する遊技機に関するものである。更に、本実施の形態中のカードは、有価データとしての金額や遊技媒体数もしくは遊技データ等を記憶可能なカードであれば良く、例えば、磁気カード、ＩＣカード、光カード、ワイアレスカード等どの様な記録式カードであってももちろん良い。
【００６３】
【発明の効果】
請求項１に記載の発明によれば、遊技者の操作によってカードの有価データを遊技権利に変換する１回当りの変換量を設定できるので、カードの有価データから遊技権利への１回当りの変換量を遊技者の意思のもとで自由に設定できることとなる。
これにより、遊技権利貸出量設定操作手段を１回操作しておけば、その後、何回遊技権利変換指令操作手段を操作しても遊技権利への変換量が自動的に固定されるため、遊技者の意思の下で任意の変換量を間違いなく、確実に変換することが可能となる。
【００６４】
また、遊技権利貸出量設定操作手段と遊技権利変換指令操作手段とを遊技者が操作可能に夫々別設して設けたことにより、操作性も向上して操作ミス等も起こさず、スムーズな遊技進行を実行することができる。
また、カードの残高が無くなってそのカードが排出された後でも、そのタイムアップされる時間内に新しいカードが挿入されれば、その１回当りの変換量を設定し直さなくて済む。
また、カードの有価データを遊技権利に変換する１回当りの変換量の設定は、カード読取装置にカードが挿入されていることに基づいて可能となる一方、カード読取装置にカードが挿入されていないときには、その変換量の設定はできないことから、カード読取装置にカードが挿入されていないときに変換量の設定をするいたずらができなくなる。
【００６５】
請求項２に記載の発明によれば、遊技権利貸出量設定操作手段の操作により設定した設定値が保持されていることを遊技者に報知することができる。
【００６６】
請求項３に記載の発明によれば、遊技者が遊技権利貸出量設定操作手段の操作を行わないで、いきなり遊技権利変換指令操作手段を操作する場合に対応させることができる。
【００６７】
【図面の簡単な説明】
【図１】本発明の第１実施の形態に係るカード式パチンコ遊技機の正面図である。
【図２】同、カード式パチンコ遊技機の玉貸系統の制御ブロック図である。
【図３】同、カード式パチンコ遊技機の遊技権利変換制御手段によって行われる玉貸系統の制御処理のフローチャートの一部である。
【図４】同、カード式パチンコ遊技機の遊技権利変換制御手段によって行われる玉貸系統の制御処理のフローチャートの一部である。
【図５】本発明の第２実施の形態に係るカード式パチンコ遊技機の正面図である。
【図６】同、カード式パチンコ遊技機の玉貸系統の制御ブロック図である。
【図７】同、カード式パチンコ遊技機の遊技権利変換制御手段によって行われる玉貸系統の制御処理のフローチャートの一部である。
【図８】同、カード式パチンコ遊技機の遊技権利変換制御手段によって行われる玉貸系統の制御処理のフローチャートの一部である。
【図９】同、カード式パチンコ遊技機の遊技権利変換制御手段によって行われる玉貸系統の制御処理のフローチャートの一部である。
【図１０】本発明の第３実施の形態に係るカード式パチンコ遊技機の正面図である。
【図１１】本発明の第４実施の形態に係るカード式パチンコ遊技機の正面図である。
【図１２】本発明の第５実施の形態に係るカード式パチンコ遊技機の正面図である。
【符号の説明】
１，２，３，４，５  カード式パチンコ遊技機
１３３  遊技権利変換指令操作手段
２００，４００  玉貸機
２１０  カード読取装置
２１５  カード
２２１ａ，２２２ａ，２２３ａ，４２０  遊技権利貸出量設定操作手段
３１１，５１１  設定条件検出手段
【図１】
0003676255.tif 000002
【図２】
0003676255.tif 000003
【図３】
0003676255.tif 000004
【図４】
0003676255.tif 000005
【図５】
0003676255.tif 000006
【図６】
0003676255.tif 000007
【図７】
0003676255.tif 000008
【図８】
0003676255.tif 000009
【図９】
0003676255.tif 000010
【図１０】
0003676255.tif 000011
【図１１】
0003676255.tif 000012
【図１２】
0003676255.tif 000013